(57)【要約】【課題】１枚のインデックスシートに記載する画像の数を減らすことなく、画像毎に、用紙サイズ、用紙種類、オプションを設定することができる画像処理装置および画像処理装置の制御方法を提供することを目的とする。上記「オプション」は、日付／ＶＩＶＩＤフォト／ノイズ除去／自動写真補正／顔明るく補正／赤目補正等、画像処理等とである。【解決手段】希望するユーザにのみ、従来のインデックスシートに加えて、拡張フォトインデックスシートＳＨ２を用いるものである。上記「拡張フォトインデックスシートＳＨ２」は、画像毎に、用紙サイズ、用紙種類、日付／ＶＩＶＩＤフォト／ノイズ除去／自動写真補正／顔明るく補正／赤目補正等、画像処理等のオプションを設定することができる。【選択図】図１
2007181029.tif 000002
【特許請求の範囲】
【請求項１】
画像を蓄積する画像蓄積手段と、所定の設定情報入力シートに記載されている画像に関する情報が埋め込まれているシートコードを作成するシートコード作成手段と、設定情報入力シート作成手段が作成した設定情報入力シートと上記画像蓄積手段に蓄積されている画像とを出力する出力手段と、上記設定情報入力シート上のマークと上記シートコードとを読み取る読取手段と、上記読取手段が読み取った情報を解析する解析手段とを具備する画像処理装置において、
上記設定情報入力シートにおいて出力指定されている全ての画像について、画像補正の設定を行う全画像補正項目を作成する全画像補正項目作成手段と；
上記設定情報入力シートにおいて出力指定されている各画像について、個別に画像補正の設定を行う個別画像補正項目を作成する個別画像補正項目作成手段と；
設定情報入力シート上の所定のマークを上記解析手段が読み取ったことを解析すると、上記読取手段が読み取ったマークとシートコードに対応する画像とを、上記蓄積手段から取得し、上記全画像補正項目と上記個別画像補正項目とのマークに応じた画像補正をし、上記出力手段を用いて、画像を出力する制御手段と；
を有し、上記設定情報入力シートは、上記全画像補正項目作成手段が作成した全ての画像について画像補正する全画像補正項目が記載され、全ての画像について補正するための基本設定情報入力シートと、上記個別画像補正項目作成手段が作成した個別の画像について、画像補正する個別画像補正項目が記載され、個別の画像について補正するための拡張設定情報入力シートとであることを特徴とする画像処理装置。
【請求項２】
請求項１において、
上記出力手段は、上記基本設定情報入力シートと、上記拡張設定情報入力シートとを、互いに異なる紙に出力する手段であることを特徴とする画像処理装置。
【請求項３】
請求項１において、
上記出力手段は、上記基本設定情報入力シートと、上記拡張設定情報入力シートとを、１枚の紙の表裏に出力する手段であることを特徴とする画像処理装置。
【請求項４】
請求項２または請求項３において、
上記基本設定情報入力シート上の各画像の位置関係と、上記拡張設定情報入力シート上の各画像の個別画像補正項目の位置関係とが同じであることを特徴とする画像処理装置。
【請求項５】
請求項１〜請求項４のうちのいずれか１項において、
上記制御手段は、上記基本設定情報入力シートと上記拡張設定情報入力シートとの両方において、所定の画像補正項目がマークされている場合、上記拡張設定情報入力シートで指定された画像について、該当する画像補正を行わない手段であることを特徴とする画像処理装置。
【請求項６】
請求項１〜請求項５のうちのいずれか１項において、
上記読取手段は、光学読取手段、磁気的読取手段、機械的読取手段のうちの少なくとも１つの手段であることを特徴とする画像処理装置。
【請求項７】
請求項１〜請求項６のうちのいずれか１項において、
上記拡張設定情報入力シートは、画像の情報を記録するシートであることを特徴とする画像処理装置。
【請求項８】
請求項１〜請求項７のうちのいずれか１項において、
上記基本設定情報入力シートは、全ての画像を印刷する用紙サイズと種類とを設定する印刷用紙設定項目と、上記拡張設定情報入力シートに、画像毎に印刷する用紙サイズまたは種類を設定する個別印刷用紙設定項目とが印刷され、
上記制御手段は、上記印刷用紙設定項目と上記個別印刷用紙設定項目との両方にマークされている場合、上記個別印刷用紙設定項目を優先する手段であることを特徴とする画像処理装置。
【請求項９】
画像を蓄積する画像蓄積手段と、所定の設定情報入力シートに記載されている画像に関する情報が埋め込まれているシートコードを作成するシートコード作成手段と、設定情報入力シート作成手段が作成した設定情報入力シートと上記画像蓄積手段に蓄積されている画像とを出力する出力手段と、上記設定情報入力シート上のマークと上記シートコードとを読み取る読取手段と、上記読取手段が読み取った情報を解析する解析手段とを具備する画像処理装置の制御方法において、
上記設定情報入力シートにおいて出力指定されている全ての画像について、画像補正の設定を行う全画像補正項目を作成する全画像補正項目作成工程と；
上記設定情報入力シートにおいて出力指定されている各画像について、個別に画像補正の設定を行う個別画像補正項目を作成する個別画像補正項目作成工程と；
設定情報入力シート上の所定のマークを上記解析工程が読み取ったことを解析すると、上記読取工程で読み取られてマークとシートコードに対応する画像とを、上記蓄積工程で蓄積した画像から取得し、上記全画像補正項目と上記個別画像補正項目とのマークに応じた画像補正をし、上記出力手段で画像を出力する制御工程と；
を有し、上記設定情報入力シートは、上記全画像補正項目作成工程で作成された全ての画像について画像補正する全画像補正項目が記載され、全ての画像について補正するための基本設定情報入力シートと、上記個別画像補正項目作成工程で作成された個別の画像について、画像補正する個別画像補正項目が記載され、個別の画像について補正するための拡張設定情報入力シートとであることを特徴とする画像処理装置の制御方法。
【発明の詳細な説明】
【技術分野】
【０００１】
本発明は、画像処理装置および画像処理装置の制御方法に関する。
【背景技術】
【０００２】
近年、デジタルカメラの普及が急激に広がり、デジタルカメラは、従来、パソコンの周辺機器であるというイメージであったが、パソコンを持たない家庭等も含めて、デジタルカメラの売上が伸びている。このために、特に、近年、パソコンを介さずに、デジタルカメラデータを、家庭用プリンタ等に直接印刷する需要が高まっている。
【０００３】
デジタルカメラで撮影されたデータを、ＳＤカード、コンパクトフラッシュ（登録商標）メモリ等のメモリカードに蓄える。そして、家庭にパソコンがある場合、撮影された画像データを、パーソナルコンピュータに取り込むことができ、また、プリンタ等の記録装置で印刷することができる。
【０００４】
一方、パソコンを介さずに、直接印刷する方法として、メモリカード等のデジタル画像を記憶するメディアを、記録装置に直接挿入し、記録装置の操作部における操作によって、写真を印刷する方法が採用されている。
【０００５】
しかし、家庭向けの記録装置では、操作部が小さいものや、キーの数が少ないものが多く、また、画像を選択する際に必要なビューワも、サイズに制限があり、操作も表示もパソコンに比べて難しいことが現状である。
【０００６】
特に、メモリカード内の画像を印刷する際に、画像の閲覧、画像番号の指定、印刷する画像の部数指定、印刷解像度指定等、設定する項目が多い反面、記録装置の操作部は、それ程、キーを多く配置することがなく、煩雑な操作になりがちである。
【０００７】
そこで、パソコンを介さずに、メモリカード内の画像データを印刷する方法として、複合機が、自分の読取装置と記録装置とを具備していることを活かし、写真印刷をナビゲーションするためのインデックスシートを用いる方法が、従来、採用されている。
【０００８】
この従来方法では、まず、印刷の候補である画像を、インデックスにまとめ、それら画像毎にマークをつけ、さらに印刷解像度等を指示することができるマークを付加したインデックスシートを、画像処理装置が記録する。
【０００９】
ユーザが記録したい画像と記録設定とを、上記インデックスシートにおいて、ユーザがマークする。この方法は、写真の焼き増しの手順と類似した方法であり、したがって、ユーザにも、直感的にわかりやすい操作方法である。
【００１０】
その後、ユーザが記入したインデックスシートを、複合機の読取部が読み取り、ユーザによる上記記入結果に基づいて、複合機が写真を印刷する。この方法を用いることによって、パソコンを介さずに写真印刷する際に、操作パネルで行っていた写真印刷の煩雑な操作を簡単に実行することができる（たとえば、特許文献１、特許文献２参照）。
【特許文献１】特開２００２−２７３９７３号公報
【特許文献２】特開２００２−３０５７０１号公報
【発明の開示】
【発明が解決しようとする課題】
【００１１】
上記従来のインデックスシートを用いた写真印刷の方法では、インデックスシートの紙面のスペースに制限があるので、画像毎の設定項目は、画像毎の印刷枚数だけである。したがって、用紙サイズや用紙種類、また、日付／ＶＩＶＩＤフォト／ノイズ除去／自動写真補正／顔明るく補正／赤目補正等、画像処理等のオプションについては、インデックスシート全体での設定のみが可能である。よって、画像処理等のオプションについて、画像毎に個別に設定することができないという問題がある。
【００１２】
また、画像毎の情報についても、インデックスシートの紙面のスペースに制限があるので、各画像が作成された日付等、限られたもの以外は、インデックスシート上に載せることができない。したがって、その他の画像に関する情報（画素数／圧縮モード／機種名／絞り値／経度緯度等の位置情報／色空間等の情報）を、インデックスシート上に印刷することができないという問題がある。
【００１３】
本発明は、１枚のインデックスシートに記載する画像の数を減らすことなく、画像毎に、用紙サイズ、用紙種類、オプションを設定することができる画像処理装置および画像処理装置の制御方法を提供することを目的とする。
【００１４】
なお、上記「オプション」は、日付／ＶＩＶＩＤフォト／ノイズ除去／自動写真補正／顔明るく補正／赤目補正等、画像処理等のことである。
【００１５】
また、本発明は、画像の詳細情報を参照しながら、印刷する画像を選択することができる画像処理装置および画像処理装置の制御方法を提供することを目的とする。
【００１６】
なお、上記「各画像に関する詳細な情報」は、画素数／圧縮モード／機種名／絞り値／経度緯度等の位置情報／色空間等である。
【課題を解決するための手段】
【００１７】
本発明は、希望するユーザにのみ、従来のインデックスシート（以下、「基本フォトインデックスシートＳＨ１」という）に加えて、拡張フォトインデックスシートＳＨ２を用いるものである。
【００１８】
なお、上記「拡張フォトインデックスシートＳＨ２」は、画像毎に、用紙サイズ、用紙種類、日付／ＶＩＶＩＤフォト／ノイズ除去／自動写真補正／顔明るく補正／赤目補正等、画像処理等のオプションを設定することができる。
【００１９】
また、上記「拡張フォトインデックスシートＳＨ２」は、画素数／圧縮モード／機種名／絞り値／経度緯度等の位置情報／色空間等、各画像に関する詳細な情報を持つシートである。
【発明の効果】
【００２０】
本発明によれば、ユーザが、従来のようにインデックスシートを用いて写真を印刷する場合、基本フォトインデックスシートＳＨ１を用いるので、画像毎の枚数を自由に設定することができるという効果を奏する。また、用紙サイズ、用紙種類、日付／ＶＩＶＩＤフォト／ノイズ除去／自動写真補正／顔明るく補正／赤目補正等、画像処理等のオプションについては、印刷する全ての画像に同一のものを設定することができるという効果を奏する。
【発明を実施するための最良の形態】
【００２１】
発明を実施するための最良の形態は、次の実施例である。
【実施例１】
【００２２】
図１は、本発明の実施例１である画像処理システムを構成する複合機１００の概略構成を示すブロック図である。
【００２３】
複合機１００は、ＣＰＵ１と、ＲＯＭ２と、ＲＡＭ３と、画像メモリ４と、データ変換部５と、読取制御部６と、読取部７と、操作表示部８と、解像度変換処理部９と、符号復号化処理部１０と、記録制御部１１とを有する。また、複合機１００は、ＵＳＢホスト制御部１２と、記録部１３と、ＵＳＢファンクション制御部１４と、ＣＰＵバス１６とを有する。
【００２４】
また、ＵＳＢホスト制御部１２に、メモリカード１５が接続されている。
【００２５】
ＣＰＵ１は、システム制御部であり、複合機１００の全体を制御する。
【００２６】
ＲＯＭ２は、ＣＰＵ１が実行する制御プログラムやデータテーブル、組み込みオペレーティングシステム（ＯＳ）プログラム等の固定データを格納する。実施例１では、ＲＯＭ２に格納されている各制御プログラムは、ＲＯＭ２に格納されている組み込みＯＳの管理下で、スケジューリングやタスクスイッチ、割り込み処理等のソフトウエア実行制御を行う。
【００２７】
ＲＡＭ３は、バックアップ電源を必要とするＳＲＡＭ（Ｓｔａｔｉｃ  Ｒａｎｄｏｍ  Ａｃｃｅｓｓ  Ｍｅｍｏｒｙ）等で構成され、図示しないデータバックアップ用の１次電池によってデータを保持する。ＲＡＭ３には、データが消去されては困るプログラム制御変数等を格納する。また、ＲＡＭ３には、オペレータが登録した設定値や複合機１００の管理データ等を格納するメモリエリアが設けられている。
【００２８】
画像メモリ４は、ＤＲＡＭ（Ｄｙｎａｍｉｃ  Ｒａｎｄｏｍ  Ａｃｃｅｓｓ  Ｍｅｍｏｒｙ）等で構成され、画像データを蓄積する。また、一部の領域をソフトウエア処理の実行のためのワークエリアとして確保してある。
【００２９】
データ変換部５は、ページ記述言語（ＰＤＬ：Ｐａｇｅ  Ｄｅｓｃｒｉｐｔｉｏｎ  Ｌａｎｇｕａｇｅ）等の解析や、キャラクタデータのＣＧ（Ｃｏｍｐｕｔｅｒ  Ｇｒａｐｈｉｃｓ）展開等、画像データの変換を行う。
【００３０】
読取制御部６は、読取部７に設けられているＣＩＳイメージセンサ（密着型イメージセンサ）やＣＣＤイメージセンサによって原稿を光学的に読み取る。そして、読み取った電気的な画像データに変換した画像信号を、図示しない画像処理制御部を介して、２値化処理や中間調処理等の各種画像処理を施し、高精細な画像データを出力する。なお、実施例１では、読取制御部６、読取部７は、原稿を搬送しながら読み取りを行うシート読取制御方式と、原稿台に固定されている原稿をスキャンするブック読取制御方式との両制御方式に対応している。
【００３１】
操作表示部８は、各種キーを用いて様々な操作を行う操作部と、各種キーと、ＬＥＤ（発光ダイオード）と、ＬＣＤ等によって構成され、オペレータによる各種入力操作や、複合機１００の動作状況、ステータス状況の表示等を行う表示部とを有する。操作表示部８については、図２の説明で詳述する。
【００３２】
解像度変換処理部９は、ミリ系の画像データとインチ系の画像データとの相互変換等の解像度変換制御を行う。なお、解像度変換処理部９において、画像データの拡大縮小処理も可能である。
【００３３】
符号復号化処理部１０は、複合機１００で扱う画像データ（非圧縮、ＭＨ、ＭＲ、ＭＭＲ、ＪＢＩＧ、ＪＰＥＧ等）を、相互に符号復号化処理し、拡大縮小処理を行う。
【００３４】
記録制御部１１は、印刷されるべき画像データについて、図示しない画像処理制御部を介して、スムージング処理、記録濃度補正処理、色補正等の各種画像処理を施すことによって、高精細な画像データに変換し、ＵＳＢホスト制御部１２に出力する。また、ＵＳＢホスト制御部１２を制御することによって、記録部１３の状態情報データを定期的に取得する。
【００３５】
ＵＳＢホスト制御部１２は、ＵＳＢ通信規格で定められたプロトコルで通信を行う制御部である。ＵＳＢ通信規格は、双方向のデータ通信を高速に行うことができる規格であり、１台のホスト（マスター）に対し、複数のハブまたはファンクション（スレーブ）を接続することができる。ＵＳＢホスト制御部１２は、ＵＳＢ通信におけるホストの機能を有する。
【００３６】
記録部１３は、図示しない専用ＣＰＵで制御するレーザビームプリンタやインクジェットプリンタ等を具備する記録装置であり、ＵＳＢインタフェース経由で受信したカラー画像データ、またはモノクロ画像データを印刷部材に印刷する。ＵＳＢホスト制御部１２との間で、ＵＳＢ通信規格で定められたプロトコルで通信し、記録部１３は、ファンクションの機能を有する。実施例１において、記録機能のＵＳＢ通信は、１対１の接続形態を用いる。また、実施例１においては、ＵＳＢ対応とする。
【００３７】
ＵＳＢファンクション制御部１４は、ＵＳＢインタフェースの通信制御を行うものであり、ＵＳＢ通信規格に従って、プロトコル制御を行う。ＣＰＵ１が実行するＵＳＢファンクション制御タスクからのデータを、パケットに変換し、図示しない外部のＰＣにＵＳＢパケット送信を行う。また、逆に、外部のＰＣからのＵＳＢパケットを、データに変換して、ＣＰＵ１に送信する。
【００３８】
メモリカード１５は、データ記憶媒体であり、複合機１００に接続することができる。実施例１では、メモリカード１５と複合機１００とを、ＵＳＢのインタフェースで接続しているが、他の方法で接続するようにしてもよい。ＵＳＢホスト制御部１２を通して、画像のデータ、その他電子データを、メモリカード内のデータにアクセスする。
【００３９】
上記構成要素１〜６、８〜１２、１４は、ＣＰＵ１が管理するＣＰＵバス１６を介して、相互に接続されている。
【００４０】
図２は、複合機１００に設けられている操作表示部８の具体例を示す図である。
【００４１】
操作表示部８は、ＬＣＤビューワ２１と、電源キー２２と、コピーモードキー２３と、スキャンモードキー２４と、フォトモードキー２５と、上下左右キー２６と、メニューキー２７と、ユーザ設定キー２８とを有する。また、操作表示部８は、フォトインデックスシートキー２９と、セットキー３０と、ＳＴＯＰキー３１と、モノクロスタートキー３２と、カラースタートキー３３とを有する。
【００４２】
ＬＣＤビューワ２１は、メッセージ、オペレーションプロンプト、各種情報を表示するディスプレイである。電源キー２２は、複合機１００の電源をＯＮ／ＯＦＦするキーである。
【００４３】
コピーモードキー２３は、複合機１００がコピーできる状態にするキーであり、コピーモードキー２３を押下することによって、複合機１００をコピーモードにすることができる。
【００４４】
スキャンモードキー２４は、複合機１００がスキャンできる状態にするキーであり、スキャンモードキー２４を押下することによって、複合機１００をスキャンモードにすることができる。
【００４５】
フォトモードキー２５は、複合機１００において、デジタル写真をメモリカード１５やＵＳＢホスト制御部１２と接続される図示しないデジタルカメラからのダイレクト印刷ができる状態にするキーである。フォトモードキー２５を押下することによって、複合機１００をフォトモードにすることができる。
【００４６】
上下左右キー２６は、メニューやユーザ設定等、ユーザが複数の選択肢から選択を行う際に使用されるキーである。
【００４７】
メニューキー２７は、コピーやカードからのダイレクト印刷等の実行時の設定値を設定する項目を表示するキーである。メニューキー２７を押下することによって、実行用の設定項目をＬＣＤビューワ２１に表示することができ、上下左右キー２６によって選択し、セットキー３０でセットすることができる。
【００４８】
ユーザ設定キー２８は、ユーザが複合機１００に設定する設定値を登録するための画面を表示するキーである。ユーザ設定キー２８を押下することによって、ユーザ設定項目を、ＬＣＤ２１に表示することができ、上下左右キー２６によって選択し、セットキー３０でセットすることができる。
【００４９】
フォトインデックスシートキー２９は、フォトインデックスシートに印刷し、またはフォトインデックスシートを読み取るための画面に移行させるキーである。複合機１００にメモリカード１５が挿入された状態で、フォトインデックスシートキー２９を押下すると、後述の基本フォトインデックスシートＳＨ１や拡張フォトインデックスシートＳＨ２を印刷する画面、または、読取を指示する画面に移行する。その後に、上下左右キー２６やセットキー３０を押すことによって、印刷や読取の動作を指示する。なお、基本フォトインデックスシートＳＨ１については、図３で詳細を説明し、拡張フォトインデックスシートＳＨ２ついては、図４で詳細を説明する。
【００５０】
セットキー３０は、選択された項目を決定するキーである。ＳＴＯＰキー３１は、ファクシミリ送受信、コピーやその他のオペレーション操作を停止させるキーである。
【００５１】
モノクロスタートキー３２は、白黒コピー、白黒スキャン等を開始するキーである。カラースタートキー３３は、カラーコピー、カラープッシュスキャン、カラー写真印刷等を開始するキーである。
【００５２】
図３は、実施例１において使用する基本フォトインデックスシートＳＨ１の一例を示す図である。
【００５３】
基本フォトインデックスシートＳＨ１は、フォトインデックスシートキー２９を押下し、印刷指示することによって出力されるシートであり、複合機１００が印刷を行う対象を特定するシートである。
【００５４】
操作表示部８を介して、フォトインデックスシート印刷を指示すると、複合機１００に装着されているメモリカード１５から、画像データを呼び出し、基本フォトインデックスシートＳＨ１を作成する。
【００５５】
この際、基本フォトインデックスシートＳＨ１において、印刷対象とすることを望む画像のそれぞれに、ユーザがマークを付ける。ユーザは、メモリカード内の画像を写真印刷するための指示を、基本フォトインデックスシートＳＨ１に記入し、複合機１００に読み込むことによって、写真印刷を実現する。
【００５６】
なお、メモリカード１５内の画像について写真印刷する指示を、基本フォトインデックスシートＳＨ１に記入する場合、印刷したい画像のマークを塗りつぶし、これによって、その印刷設定を行う。印刷したい画像に対応するマークを塗りつぶすだけで、印刷設定が行われる。写真プリントしたい画像に対応するマークに印がつけられた基本フォトインデックスシートＳＨ１を、読取部７に置き、フォトインデックスシートキー２９を押す。そして、操作表示部８を用い、読み取り指示を出すことによって、基本フォトインデックスシートＳＨ１を読み込み、この読み込み時に、マークの状態を判断し、写真印刷する画像を認識し、写真印刷を行う。
【００５７】
基本フォトインデックスシートＳＨ１は、全体用紙サイズ／種類部４１と、全体オプション部４２と、全て印刷部４３と、画像選択部位４４、４５と、シートコード部４６とを有する。
【００５８】
全体用紙サイズ／種類部４１と、全体オプション部４２と、全て印刷部４３とは、写真印刷する際に、印刷の設定を決定する部分である。それぞれの項目を設定する際に、設定する項目を塗りつぶすことによって、塗りつぶされた項目が設定される。
【００５９】
全体用紙サイズ／種類部４１では、Ｌ判／２Ｌ判／はがき／Ｂ５／Ａ４等の紙サイズ、写真紙／普通紙等の紙種、ふちなし／ふちあり等の印刷方法について、印刷する全ての画像に共通の設定を行う。
【００６０】
全体オプション部４２では、日付／ＶＩＶＩＤフォト／ノイズ除去／自動写真補正／顔明るく補正／赤目補正等の画像補正等のオプションについて、印刷する全ての画像に共通のオプション設定を行う。
【００６１】
また、全て印刷部４３は、「全部を選択」のマークを塗りつぶすことによって、シート１に表示されている全ての画像を選択する場合に塗りつぶすマークである。
【００６２】
画像選択部位４４、４５は、基本フォトインデックスシートＳＨ１に表示されている画像のうちで、所望の画像（写真印刷を望む画像）を選択する部位である。また、画像選択部位４４、４５には、画像毎にマークがつけられ、写真印刷を望む画像に対応する画像選択部位４５を塗ることによって、この塗られたマークに対応する画像が選択されたことを示す。また、画像選択部位４５は、印刷枚数を示す内容も含まれ、各画像に対して何枚印刷するかを、ユーザが選択できる。
【００６３】
つまり、図３中、１つの画像の下に３つのマークが記載され、３つのマークのうちの左側のマーク、中央のマーク、右側のマークを塗りつぶすと、対応する画像画像選択部位４４の画像を、それぞれ、１、２、３枚写真印刷することが設定される。
【００６４】
また、ユーザが画像を選択する際に参考になる情報として、写真が撮影された日の日付や、選択可能な画像を一意に示す画像番号を付加している。
【００６５】
シートコード部４６は、基本フォトインデックスシートＳＨ１の情報を含むコードである。読取部７が、基本フォトインデックスシートＳＨ１を読み取った際に、基本フォトインデックスシートＳＨ１の情報をここから読み取り、どの画像があるか等の情報を、複合機１００が知ることができる。また、シートコード部４６によって、読取部７が基本フォトインデックスシートＳＨ１を読み取った情報と、メモリカード１５の情報との整合性を保つことができる。
【００６６】
図４は、実施例１において使用する拡張フォトインデックスシートＳＨ２の一例を示す図である。
【００６７】
拡張フォトインデックスシートＳＨ２は、フォトインデックスシートキー２９を押下し、印刷指示をすることによって、基本フォトインデックスシートＳＨ１に続いて出力される。また、拡張フォトインデックスシートＳＨ２は、基本フォトインデックスシートＳＨ１では設定できない画像毎の個別の詳細設定を行うシートである。
【００６８】
操作表示部８を介して、フォトインデックスシート印刷指示がされたら、まず、基本フォトインデックスシートＳＨ１を出力し、その後に、基本フォトインデックスシートＳＨ１の裏面に、拡張フォトインデックスシートＳＨ２を出力する。
【００６９】
メモリカード１５内の画像を写真印刷するための画像毎の詳細な指示を、基本フォトインデックスシートＳＨ１と、拡張フォトインデックスシートＳＨ２とに、ユーザが記入し、複合機１００に読み込むことによって、写真印刷を実現する。
【００７０】
拡張フォトインデックスシートＳＨ２は、画像毎の個別に詳細な設定を行うために、個別用紙サイズ／種類部５１と、個別オプション部５２と、詳細画像情報部５３とを有する。
【００７１】
個別用紙サイズ／種類部５１は、画像毎に、Ｌ判／２Ｌ判／はがき／Ｂ５／Ａ４等の紙サイズ、写真紙／普通紙等の紙種、ふちなし／ふちあり等の印刷方法についての設定を行う。全体用紙サイズ／種類部４１に設定されていれば、個別用紙サイズ／種類部５１で画像毎に個別に設定した値を優先する。
【００７２】
個別オプション部５２では、画像毎に、日付／ＶＩＶＩＤフォト／ノイズ除去／自動写真補正／顔明るく補正／赤目補正等の画像補正等のオプションについて設定する。全体オプション部４２に設定されていれば、個別オプション部５２で設定した設定が無効になる。つまり、全体オプション部４２で設定されていれば、個別オプション部５２は、そのオプション項目をキャンセルする。また、全体オプション部４２では設定されず、個別オプション部５２でのみ設定されていれば、この設定は有効である。
【００７３】
詳細画像情報部５３では、各画像のより詳細な情報を見ることができる。図４では、ファイル名と、写真をとった機種名とが印刷されているが、この他に、画素数／圧縮モード／絞り値／経度緯度等の位置情報／色空間等を印刷するようにしてもよい。
【００７４】
また、詳細画像情報部５３では、画像毎に４・５・６枚の画像を印刷する項目がある。画像選択部位４５では、１・２・３枚しか選択できないが、詳細画像情報部５３を用いることによって、印刷枚数の設定幅を拡大することができる。
【００７５】
さらに、画像選択部位４５と詳細画像情報部５３とには、００１からカウントアップする共通の番号が付与されているので、表裏となっても、該当する画像の設定項目がどこかわかならくなることはない。
【００７６】
図５は、実施例１において、表面に印刷されている基本フォトインデックスシートＳＨ１と、裏面に印刷されている拡張フォトインデックスシートＳＨ２との各画像の設定項目の位置関係を示す図である。
【００７７】
どちらのシートＳＨ１、ＳＨ２も、左上が００１であり、右下が００８であり、用紙上の相対的な位置関係が同じであるので、どの設定項目がどの画像に対応しているかを、直感的に認識することができる。
【００７８】
次に、実施例１において、フォトインデックスシートを使用し、写真印刷する対象等を指示する動作について説明する。
【００７９】
図６は、実施例１において、フォトインデックスシートを使用して、写真印刷する対象等を指示する動作を示すフローチャートである。
【００８０】
フォトインデックスシートを印刷するためには、操作表示部８のフォトインデックスシートキー２９を押下し、これによって、フォトインデックスシートの一連の操作を行う。
【００８１】
まず、Ｓ１では、操作表示部８を介して、フォトインデックスシートキー２９が押下されたことを検知したら、Ｓ２では、メモリカード１５が接続されていることを確認する。
【００８２】
Ｓ３は、メモリカード１５の確認ステップであり、メモリカード１５が接続されていなければ、印刷ができず、終了する。メモリカード１５が接続されていれば、Ｓ４で、操作表示部８の上下左右キー２６、セットキー３０等を用い、写真印刷すべき画像をおおまかに指定し、拡張フォトインデックスシートＳＨ２を印刷するかどうかを選択する。メモリカード１５に蓄積されている画像が、撮影日時順にソートされていれば、そのソート順に画像に付与されている番号（ＮＯ．）に基づいて、画像を指示する。たとえば、上下左右キー２６でＮＯ．１０を表示させ、セットキー３０を操作してセットする。さらに、上下左右キー２６を使用して、ＮＯ．２を表示させ、セットキー３０を操作し、セットする。これらの操作によって、メモリカード１５に格納されているＮＯ．１０〜ＮＯ．２の画像についての指定が完了する。
【００８３】
また、基本フォトインデックスシートＳＨ１の裏面に、拡張フォトインデックスシートＳＨ２を印刷するかどうかについて指定する。
【００８４】
これらの操作を終え、基本フォトインデックスシートＳＨ１による写真印刷の設定が終了したら、Ｓ５に進む。Ｓ５では、写真印刷の設定内容を、基本フォトインデックスシートＳＨ１のみを印刷するか、または、基本フォトインデックスシートＳＨ１と拡張フォトインデックスシートＳＨ２との両方に印刷する。この印刷については、図７の説明で詳述する。
【００８５】
また、フォトインデックスシートに印刷する画像を選ぶ方法として、上記のように、画像に付与されている番号（ＮＯ．）に基づいて範囲を指定する他に、撮影日時を指定してその日時の写真を選ぶ方法等を採用するようにしてもよい。また、撮影日時に基づいて、最新の写真から順に任意の枚数を指定して選択する方法を採用するようにしてもよい。
【００８６】
一方、Ｓ４で、フォトインデックスシートの読み込みが設定されると、拡張フォトインデックスシートＳＨ２の読み込みかどうかを指定する。Ｓ６では、基本フォトインデックスシートＳＨ１のみを読み込み、または、基本フォトインデックスシートＳＨ１と拡張フォトインデックスシートＳＨ２との両方を読み込み、この読み込まれた写真印刷の設定内容に応じて、写真を印刷する。フォトインデックスシートの読み込みと写真の印刷とについては、図９で詳述する。
【００８７】
フォトインデックスシートの印刷と読み込みとについて、上記のように、操作表示部８を介して実行されるが、操作表示部８以外の手段を使用して、フォトインデックスシートの印刷、読み込みを行うようにしてもよい。
【００８８】
また、実施例１では、印刷するときも読み込むときも、拡張フォトインデックスシートＳＨ２の処理を行うかどうかを選択するが、拡張フォトインデックスシートＳＨ２の印刷や読み込みの処理を、必ず実行するようにしてもよい。
【００８９】
次に、実施例１において、基本フォトインデックスシートＳＨ１と拡張フォトインデックスシートＳＨ２とを印刷する動作について説明する。
【００９０】
図７は、実施例１において、基本フォトインデックスシートＳＨ１と拡張フォトインデックスシートＳＨ２とを印刷する動作を示すフローチャートである。
【００９１】
まず、印刷対象としてユーザが指定した画像（Ｓ４）の情報を、Ｓ１１で、取得する。
【００９２】
実施例１においては、メモリカード１５内の画像データを、写真印刷の対象とするので、メモリカード１５から画像データを取得する。この場合、基本フォトインデックスシートＳＨ１の印刷を高速にするために、画像データとして、サムネイルの画像を取得し、基本フォトインデックスシートＳＨ１に表示している。Ｓ１２では、画像について、画像番号を振り分ける。この振り分けられた画像番号は、画像を選択する際に、複合機１００が内部的に使用する番号である。
【００９３】
振り分けられた上記画像番号について、ユーザは一切関知する必要がなく、あくまでも基本フォトインデックスシートＳＨ１や、拡張フォトインデックスシートＳＨ２の必要部分を塗りつぶす動作を実行するだけでよい。これによって、この塗りつぶされた部分を、読取部７が読み取る。
【００９４】
Ｓ１３では、ユーザに指定された画像の画像数を計算する。指定された画像数を、「ＩＭＡＧＥ＿ＮＵＭ」とする。ユーザは、画像の枚数を指定する場合、枚数での指定、日付での指定、全ての画像の指定等、様々な画像枚数の指定方法がある。画像数を指定しなければ、指定の対象に入る画像が何枚あるか分からないので、画像枚数に従って、シートの枚数を、自動的に変更する必要がある。このために、画像数を指定する必要がある。
【００９５】
Ｓ１４では、印刷するシートのシートページ変数を初期化する。上記シートページ変数を、「ＳＨＥＥＴ」とする。基本フォトインデックスシートＳＨ１は、１枚から始まるので、初期化の値を１とする。
【００９６】
次に、Ｓ１５では、基本フォトインデックスシートＳＨ１について、画像の枚数を比較する。ここで、基本フォトインデックスシートＳＨ１に入る画像の最大数を、「ＭＡＸ」とする。このステップにおいて、現在印刷しようとするページに、ユーザが指定した画像の最後まで（画像の全てが）入るかどうかを確認する。
【００９７】
まず、ＳＨＥＥＴの値が、そのまま、シートＳＨ１のページ数になるので、変数ＳＨＥＥＴと、基本フォトインデックスシートＳＨ１に入る画像の最大数ＭＡＸとの積が、ＳＨＥＥＴページ目までに入る画像数である。これよって、ＩＭＡＧＥ＿ＮＵＭが大きいか小さいかを判別する。ＩＭＡＧＥ＿ＮＵＭが、ＭＡＸ×ＳＨＥＥＴよりも大きければ、Ｓ１６に進む。ＩＭＡＧＥ＿ＮＵＭがＭＡＸ×ＳＨＥＥＴよりも小さければ、Ｓ２２に移る。
【００９８】
Ｓ１６では、ＳＨＥＥＴページに、ＭＡＸ数の画像を印刷する。画像番号ＭＡＸ×（ＳＨＥＥＴ−１）＋１から、画像番号ＭＡＸ×ＳＨＥＥＴまでの画像によって、基本フォトインデックスシートＳＨ１を作成する。ＳＨＥＥＴページ目を印刷する場合、ＳＨＥＥＴ−１ページ目までは、画像が既に基本フォトインデックスシートＳＨ１に印刷されている。その画像の数は、ＭＡＸ×（ＳＨＥＥＴ−１）である。
【００９９】
したがって、その次の画像ＭＡＸ×（ＳＨＥＥＴ−１）＋１から、基本フォトインデックスシートＳＨ１に入る最大数＋ＭＡＸであるＭＡＸ×ＳＨＥＥＴまでの画像が、ＳＨＥＥＴページ目に印刷する画像の対象である。したがって、画像番号ＭＡＸ×（ＳＨＥＥＴ−１）＋１から、画像番号ＭＡＸ×ＳＨＥＥＴまでの画像によって、基本フォトインデックスシートＳＨ１を作成する。
【０１００】
Ｓ１６で、基本フォトインデックスシートＳＨ１を作成したら、Ｓ１７では、基本フォトインデックスシートＳＨ１を印刷する。この印刷後に、Ｓ１８では、変数ＳＨＥＥＴを１インクリメントする。
【０１０１】
Ｓ１９では、拡張フォトインデックスシートＳＨ２を印刷することを、ユーザが選択したかどうか（Ｓ４）を判断し、印刷しないを選んでいれば、次の基本フォトインデックスシートＳＨ１を作成するために、Ｓ１５に戻る。
【０１０２】
一方、「拡張フォトインデックスシートＳＨ２を印刷する」を選択していれば、Ｓ２０では、拡張フォトインデックスシートＳＨ２を作成する。Ｓ１６で、基本フォトインデックスシートＳＨ１を作成する場合に使用した画像に関する情報を、メモリカード１５から取得する。そして、基本フォトインデックスシートＳＨ１における各画像の紙面上の相対的な位置関係が同じになるように、拡張フォトインデックスシートＳＨ２を作成する。
【０１０３】
次に、Ｓ２１では、Ｓ２０で作成した拡張フォトインデックスシートＳＨ２を、Ｓ１７で印刷した基本フォトインデックスシートＳＨ１の裏面に印刷する。記録部１３に自動両面印刷の機能があれば、ユーザが関与することなく、基本フォトインデックスシートＳＨ１の裏面に、拡張フォトインデックスシートＳＨ２を自動で印刷する。
【０１０４】
自動両面印刷の機能がなければ、基本フォトインデックスシートＳＨ１の印刷が終了した後に、印刷した基本フォトインデックスシートＳＨ１を裏返し、セットする旨のメッセージを、操作表示部８に出す。そして、ユーザにセットしてもらった後に、拡張フォトインデックスシートＳＨ２の印刷を開始すればよい。また、基本フォトインデックスシートＳＨ１と拡張フォトインデックスシートＳＨ２とを両面印刷せずに、別々の紙に印刷するようにしてもよい。
【０１０５】
次に、基本フォトインデックスシートＳＨ１を作成するために、Ｓ１５に戻る。
【０１０６】
一方、Ｓ１５で、ＩＭＡＧＥ＿ＮＵＭがＭＡＸ×ＳＨＥＥＴよりも小さいと判断されれば、Ｓ２２で、画像番号ＭＡＸ×（ＳＨＥＥＴ−１）＋１から、画像番号ＩＭＡＧＥＮＵＭまでの画像によって、基本フォトインデックスシートＳＨ１の画像を作成する。Ｓ２２で、基本フォトインデックスシートＳＨ１の最後のページにおける画像を作成する。
【０１０７】
このために、ＳＨＥＥＴ−１ページ目までは、画像が基本フォトインデックスシートＳＨ１に既に印刷されている。この画像の数は、ＭＡＸ×（ＳＨＥＥＴ−１）であるので、その次の画像ＭＡＸ×（ＳＨＥＥＴ−１）＋１から指定された画像数ＩＭＡＧＥ＿ＮＵＭまでの基本フォトインデックスシートＳＨ１を作成する。基本フォトインデックスシートＳＨ１の作成動作を、図８に詳述してある。Ｓ２３では、基本フォトインデックスシートＳＨ１を印刷する。
【０１０８】
続いて、ユーザがＳ４で「拡張フォトインデックスシートＳＨ２を印刷する」を選択したかどうかを、Ｓ２４で判断し、印刷しないを選んでいれば、フォトインデックスシートの印刷を終了する。一方、「拡張フォトインデックスシートＳＨ２を印刷する」を選択していれば、Ｓ２５では、拡張フォトインデックスシートＳＨ２を作成する。拡張フォトインデックスシートＳＨ２の作成動作を、図９に詳述してある。
【０１０９】
最後に、Ｓ２６では、拡張フォトインデックスシートＳＨ２を印刷し、フォトインデックスシートの印刷を終了する。
【０１１０】
上記のように、基本フォトインデックスシートＳＨ１と、拡張フォトインデックスシートＳＨ２との印刷には、ユーザが画像を選択し、拡張フォトインデックスシートＳＨ２を印刷するかどうかを選択する操作が入る。画像の選択を、できるだけ簡単にしてあるが、それでも、ユーザには手間になる可能性がある。特に、自分の思い通りに印刷しようとすると、複雑な操作を必要とする。
【０１１１】
実施例１では、フォトインデックスシートを複数部印刷するので、フォトインデックスシートに入る画像の最大数を基準とし、フォトインデックスシートのページを決定し、印刷する。フォトインデックスシートを複数部印刷する場合、複数のフォトインデックスシートを印刷する他の方法を採用するようにしてもよい。
【０１１２】
図８は、実施例１において、基本フォトインデックスシートＳＨ１の画像を作成する動作を示すフローチャートである。
【０１１３】
基本フォトインデックスシートＳＨ１を印刷する際に、メモリカード１５に記録されている画像のうちで、指定された画像を抽出し、基本フォトインデックスシートＳＨ１の画像を作成する。
【０１１４】
ここで作成された画像を、記録部１３で印刷することによって、基本フォトインデックスシートＳＨ１を印刷する。
【０１１５】
まず、Ｓ３１では、ユーザが、フォトインデックスシートの対象に指定した画像を、図３に示すように、基本フォトインデックスシートＳＨ１の画像選択部位４４の位置に配置するように、基本フォトインデックスシートＳＨ１の画像を作成する。この際、画像の配置は、図３に示す配置以外の配置でもよい。
【０１１６】
Ｓ３２で、基本フォトインデックスシートＳＨ１のヘッダ部をつける。この場合、図３に示す基本フォトインデックスシートＳＨ１の題名等を指す。次に、Ｓ３３では、印刷設定用のフォーマットをつける。この印刷設定用のフォーマットは、図３に示す全体用紙サイズ／種類部４１、全体オプション部４２、全て印刷部４２等である。このエリアにおいて、写真印刷の印刷解像度や、紙サイズ、その他諸々の印刷の設定を、ユーザが行う。
【０１１７】
次に、Ｓ３４では、シートコード部４６をつける。この「シートコード部」は、基本フォトインデックスシートＳＨ１に記載されている画像に関する情報が埋め込まれている情報である。シートコード部４６に埋め込まれている情報は、たとえば、基本フォトインデックスシートＳＨ１に印刷されている画像は、画像番号のどこからどこまでの範囲に埋め込まれているかを示す情報である。上記「画像番号」は、Ｓ１２で付けられている画像番号と同じである。
【０１１８】
上記のようにして、ユーザが指定した画像を、基本フォトインデックスシートＳＨ１に記録する際の画像作成を、実現している。
【０１１９】
図９は、実施例１において、拡張フォトインデックスシートＳＨ２の画像を作成する動作を示すフローチャートである。
【０１２０】
まず、Ｓ４１では、ユーザに拡張フォトインデックスシートＳＨ２の対象に指定された画像の情報を、メモリカード１５から取得し、図４に示す拡張フォトインデックスシートＳＨ２において、詳細画像情報部５３の位置に配置する。
【０１２１】
次に、Ｓ４２では、拡張フォトインデックスシートＳＨ２のヘッダ部をつける。このヘッダ部は、図４で示す拡張フォトインデックスシートＳＨ２の題名等を指す。
【０１２２】
Ｓ４３では、画像毎の印刷の詳細設定用のフォーマットをつける。このフォーマットは、図４に示す個別用紙サイズ／種類部５１、個別オプション部５２等である。このエリアにおいて、写真印刷の印刷解像度や、紙サイズ、その他諸々の印刷の設定を、画像毎にユーザが行う。
【０１２３】
上記のようにして、拡張フォトインデックスシートＳＨ２を作成する。図４に示す配置は、ユーザが直感的に分かり易いように、基本フォトインデックスシートＳＨ１の画像を印刷した紙面上の相対的な位置関係と同様の位置に、各画像の詳細情報や設定項目を配置している。この際、各画像の詳細情報や設定項目の配置は、図４に示す配置以外の配置であってもよい。たとえば、基本フォトインデックスシートＳＨ１の各画像と、拡張フォトインデックスシートＳＨ２の各画像との設定項目に、一意の番号を振っておくようにしてもよく、これによって、自由な配置が可能である。
【０１２４】
上記のようにして、拡張フォトインデックスシートＳＨ２を作成する。
【０１２５】
図１０は、実施例１において、フォトインデックスシートをスキャンし、写真印刷する動作を示すフローチャートである。
【０１２６】
まず、図６に示す方法で、複合機１００がフォトインデックスシートを印刷することができる。ユーザは、フォトインデックスシートにおいて、写真印刷したい画像に、マークをつける（塗りつぶす）。そして、この基本フォトインデックスシートＳＨ１や拡張フォトインデックスシートＳＨ２を、複合機１００が読み取ることによって、ユーザが指定した通りに、写真印刷することができる。
【０１２７】
まず、Ｓ５１では、基本フォトインデックスシートＳＨ１を読み取る指示を、操作表示部８を介して、ユーザが行ったことを認識する。この操作によって、基本フォトインデックスシートＳＨ１を読み取る指示以外の動作、たとえば単純なコピー動作と区別することができる。
【０１２８】
次に、Ｓ５２では、メモリカード１５が複合機１００に接続されていることを、確認する。Ｓ５３では、この認識結果に基づいて、動作を判断する。メモリカード１５が接続されていることを検知すれば、Ｓ５４に移動する。メモリカード１５が認識されなければ、エラーである旨を、操作表示部８に表示し、動作を終了する。
【０１２９】
Ｓ５４では、基本フォトインデックスシートＳＨ１が正しく置かれているかどうかを、読取部７が検知する。基本フォトインデックスシートＳＨ１が、読取部７に正しく置かれていなければ、情報を読み取ることができないので、基本フォトインデックスシートＳＨ１を読み取ることができない旨を、操作表示部８に表示し、終了する。
【０１３０】
Ｓ５４では、基本フォトインデックスシートＳＨ１が正しく置かれていれば、Ｓ５５に進む。ここで、基本フォトインデックスシートＳＨ１が正しく置かれているかどうかについて、実施例１では、読取部７を使用していると判断し、読取部７以外の手段によって、シートが正しく置かれているかどうかを判断するようにしてもよい。
【０１３１】
Ｓ５５では、読取部７に置かれている基本フォトインデックスシートＳＨ１の全体用紙サイズ／種類部４１、全体オプション部４２、全て印刷部４３、画像選択部位４５に配置されているマーク位置を、解析する。
【０１３２】
基本フォトインデックスシートＳＨ１において、全体用紙サイズ／種類部４１、全体オプション部４２、全て印刷部４３、画像選択部位４５のマーク部が予め決まっている。このために、読み取ったデータから、マークが、ユーザに塗られたものであるか否かを判別することができる。このために、読取部７が読み取ったデータに基づいて、ユーザがどのマークを塗ったかを示すデータを取得する。ユーザが塗ったマークを取得した後に、Ｓ４で拡張フォトインデックスシートＳＨ２をユーザが読み取る動作を選択したかどうかを、Ｓ５６で判断する。
【０１３３】
「拡張フォトインデックスシートＳＨ２を読み取らない」を選択していれば、Ｓ５７の処理を実行する。Ｓ５７では、基本フォトインデックスシートＳＨ１の全体用紙サイズ／種類部４１、全体オプション部４２、全て印刷部４３、画像選択部位４５に塗られている個所に対応するデータを取得する。そして、取得した情報に基づいて、写真画像印刷のための設定値や、印刷する画像がどれであるか、画像を何枚印刷するか等を設定する。そして、Ｓ５８では、写真を印刷する。
【０１３４】
一方、Ｓ５６では、「拡張フォトインデックスシートＳＨ２を読み取る動作」を選択していれば、Ｓ５９で、基本フォトインデックスシートＳＨ１の裏面に印刷されている拡張フォトインデックスシートＳＨ２を読み取る。そして、拡張フォトインデックスシートＳＨ２の個別用紙サイズ／種類部５１、個別オプション部５２、詳細画像情報部５３に配置されているマーク位置を解析する。拡張フォトインデックスシートＳＨ２において、個別用紙サイズ／種類部５１、個別オプション部５２、詳細画像情報部５３のマーク部が予め決まっているので、読み取ったデータに基づいて、マークが、ユーザに塗られたものであるか否かを判別することができる。このために、読取部７が読み取ったデータに基づいて、ユーザがどのマークを塗ったかを示すデータを取得する。
【０１３５】
このときに、読取部７に自動両面読取機能があれば、上記のような動作になるが、読取部７に自動両面読取機能がなければ、読取部７に拡張フォトインデックスシートＳＨ２をセットする旨を操作表示部８に表示する。そして、ユーザにセットしてもらう。
【０１３６】
続いて、Ｓ６０では、基本フォトインデックスシートＳＨ１の全体用紙サイズ／種類部４１、全体オプション部４２、全て印刷部４３、画像選択部位４５に塗られている個所に対応するデータを取得する。
【０１３７】
次に、拡張フォトインデックスシートＳＨ２の個別用紙サイズ／種類部５１、個別オプション部５２、詳細画像情報部５３に塗られている個所に対応するデータを取得する。
【０１３８】
そして、２つのシートＳＨ１、ＳＨ２から取得した情報に基づいて、写真画像印刷のための設定値や、印刷する画像がどれであるか、画像を何枚印刷するか等を設定する。そしてＳ６１では、写真を印刷する。
【０１３９】
ここで、全体用紙サイズ／種類部４１と、個別用紙サイズ／種類部５１との両方にマークされていれば、個別用紙サイズ／種類部５１にマークされている画像について、個別用紙サイズ／種類部５１のマークに従って設定する。また、それ以外の画像については、全体用紙サイズ／種類部４１で設定された値を設定する。
【０１４０】
また、全体オプション部４２にマークされていなければ、個別オプション部５２にマークした画像について、そのオプションの補正を行う。逆に、全体オプション部４２にマークされている場合、個別オプション部５２にもマークした画像について、そのオプションの補正を行わない。
【０１４１】
また、全て印刷部４３にマークされていれば、画像選択部位４５や詳細画像情報部５３で指定されている印刷枚数に関係なく、全ての画像を１枚ずつ印刷するように設定する。また、全て印刷部４３にマークされていなければ、１つの画像に関する画像選択部位４５であるか、詳細画像情報部５３のどちらであるかを指定している枚数の印刷を設定する。１つの画像に関する画像選択部位４５と詳細画像情報部５３とにおいて、２箇所以上マークされていれば、その画像を印刷しない。
【０１４２】
上記実施例では、全体用紙サイズ／種類部４１、全体オプション部４２、全て印刷部４３、画像選択部位４５、個別用紙サイズ／種類部５１、個別オプション部５２、詳細画像情報部５３のマークに応じて制御するが、他にも色々な方法が考えられる。たとえば、全体オプション部４２と個別オプション部５２との両方にマークされていても、そのオプションの補正を実行するようにしてもよい。また、１つの画像について、画像選択部位４５と詳細画像情報部５３との両方に複数箇所マークされている場合、それらの値を合計した枚数を印刷するように設定してもよい。
【０１４３】
また、全体用紙サイズ／種類部４１と個別用紙サイズ／種類部５１とを用いることによって、印刷する画像毎に、用紙サイズ／種類を変更する必要がある。これを実現する方法としては、複合機１００が、図示しない複数の用紙トレイを持ち、これらの用紙トレイから全体用紙サイズ／種類部４１と個別用紙サイズ／種類部５１とで設定されている用紙を給紙し、記録部１３が印刷すればよい。複数の用紙トレイを持っていなければ、１つの印刷が終わるたびに、次にセットすべき用紙について、操作表示部８に表示し、ユーザにセットしてもらえばよい。
【０１４４】
実施例１によれば、ユーザが基本フォトインデックスシートＳＨ１と拡張フォトインデックスシートＳＨ２とを用いるので、従来と同様に複雑な操作をせずに、画像毎の詳細な情報を見つつ、シートの所定位置に設けられているマークを塗ることができる。そして、そのシートを読み取るだけで、画像毎の詳細な設定が可能である。
【０１４５】
実施例１によれば、ユーザが、従来のようにインデックスシートを用いて写真を印刷する場合、基本フォトインデックスシートＳＨ１を用いて、画像毎の枚数のみを自由に設定できる。また、用紙サイズ、用紙種類、日付／ＶＩＶＩＤフォト／ノイズ除去／自動写真補正／顔明るく補正／赤目補正等、画像処理等のオプションについては、印刷する全ての画像に、同一の設定をすることができる。
【０１４６】
そして、実施例１によれば、ユーザが印刷枚数のみではなく、用紙サイズ、用紙種類、画像処理等のオプションについて、画像毎に設定することを望む場合、拡張フォトインデックスシートＳＨ２を用いて設定すればよい。
【０１４７】
拡張フォトインデックスシートＳＨ２を用いることによって、各画像の詳細な情報を見ながら、画像毎に詳細に設定することができる。
【０１４８】
また、実施例１によれば、基本フォトインデックスシートＳＨ１を印刷した紙の裏面に、拡張フォトインデックスシートＳＨ２を印刷することによって、ユーザの紙の消費量を半分に削減することができる。
【０１４９】
さらに、実施例１によれば、基本フォトインデックスシートＳＨ１上の各画像と、裏面の拡張フォトインデックスシートＳＨ２上の各画像との情報や、設定項目の紙面上の相対的な位置関係を同じにする。このように配置することによって、ユーザにとって、表面と裏面との情報の関係が分かり易く、ユーザビリティの高いインデックスシートを実現することができる。
【０１５０】
また、実施例１によれば、基本フォトインデックスシートＳＨ１と拡張フォトインデックスシートＳＨ２との両方に記載されている用紙サイズや用紙種類等の設定項目については、拡張フォトインデックスシートＳＨ２で選択したものが優先される。このために、印刷したい画像の中で一番多く設定したい用紙サイズや用紙種類については、基本フォトインデックスシートＳＨ１で選択し、少数の個別に選択したいものについては、拡張フォトインデックスシートＳＨ２で選ぶことができる。
【０１５１】
また、実施例１によれば、基本フォトインデックスシートＳＨ１と拡張フォトインデックスシートＳＨ２との両方に記載されている画像処理等のオプションの項目について、両方にマークした場合、その画像に対する画像補正を行わないようにしてもよい。この場合、たとえば、ほとんどの画像に日付を付けたいが、１つだけ付けたくなければ、基本フォトインデックスシートＳＨ１の日付欄にマークし、また、日付をつけたくない画像にのみ、拡張フォトインデックスシートＳＨ２で日付欄をマークする。これによって、所望の動作をさせることができる。
【０１５２】
逆に、１つの画像にのみ日付を付けたい場合、基本フォトインデックスシートＳＨ１の日付欄にはマークせずに、日付をつけたい画像にのみ、拡張フォトインデックスシートＳＨ２で日付欄をマークすればよい。これによって、所望の動作をさせることができる。
【０１５３】
実施例１によれば、基本フォトインデックスシートＳＨ１と拡張フォトインデックスシートＳＨ２との両方に記載されている項目については、項目毎に様々な利用方法が考えられるので、ユーザビリティの高いインデックスシートを実現することができる。
【図面の簡単な説明】
【０１５４】
【図１】本発明の実施例１である画像処理システムを構成する複合機１００の概略構成を示すブロック図である。
【図２】複合機１００に設けられている操作表示部８の具体例を示す図である。
【図３】実施例１において使用する基本フォトインデックスシートＳＨ１の一例を示す図である。
【図４】実施例１において使用する拡張フォトインデックスシートＳＨ２の一例を示す図である。
【図５】実施例１において、表面に印刷されている基本フォトインデックスシートＳＨ１と、裏面に印刷されている拡張フォトインデックスシートＳＨ２との各画像の設定項目の位置関係を示す図である。
【図６】実施例１において、フォトインデックスシートを使用して、写真印刷する対象等を指示する動作を示すフローチャートである。
【図７】実施例１において、基本フォトインデックスシートＳＨ１と拡張フォトインデックスシートＳＨ２とを印刷する動作を示すフローチャートである。
【図８】実施例１において、基本フォトインデックスシートＳＨ１の画像を作成する動作を示すフローチャートである。
【図９】実施例１において、拡張フォトインデックスシートＳＨ２の画像を作成する動作を示すフローチャートである。
【図１０】実施例１において、フォトインデックスシートをスキャンし、写真印刷する動作を示すフローチャートである。
【符号の説明】
【０１５５】
１００…複合機、
１…ＣＰＵ、
２…ＲＯＭ、
３…ＲＡＭ、
４…画像メモリ、
５…データ変換部、
６…読取制御部、
７…読取部、
８…操作表示部、
９…解像度変換処理部、
１０…符号復号化処理部、
１１…記録制御部、
１２…ＵＳＢホスト制御部、
１３…記録部、
１４…ＵＳＢファンクション制御部、
ＳＨ１…基本フォトインデックスシート、
４１…全体用紙サイズ／種類部、
４２…全体オプション部、
４３…全て印刷部、
４４、４５…画像選択部位、
４６…シートコード部、
ＳＨ２…拡張フォトインデックスシート、
５１…個別用紙サイズ／種類部、
５２…個別オプション部、
５３…詳細画像情報部。
【図１】
2007181029.tif 000003
【図２】
2007181029.tif 000004
【図３】
2007181029.tif 000005
【図４】
2007181029.tif 000006
【図５】
2007181029.tif 000007
【図６】
2007181029.tif 000008
【図７】
2007181029.tif 000009
【図８】
2007181029.tif 000010
【図９】
2007181029.tif 000011
【図１０】
2007181029.tif 000012